(57)【要約】【課題】管継手において、スリーブがより確実に施錠子保持位置にまで変位するようにする。【解決手段】スリーブ１６は、コイルスプリングによって軸線Ｍの方向の前方（図で見て右側）と周方向の一方の側（右から見て時計回りとなる側）に付勢されている。スリーブ１６には、継手本体１２の外周面１０ａから突出するように設けられた係止突起５０を受け入れる係止突起受入部５２が設けられている。この係止突起受入部の軸線方向部５２ａが、スリーブ１６が施錠子保持位置と該施錠子解放位置との間を変位するときに係止突起５０に対して摺動可能とされた軸線方向面５２ｃを有し、この軸線方向面が周方向面に向かう方向（軸線の方向の後方）で周方向の一方の側とは反対の側（右から見て反時計回りとなる側）に傾斜している。【選択図】図１
2016080134.tif 000002
【特許請求の範囲】
【請求項１】
対応する雄型管継手部材に取外し可能に連結される雌型管継手部材であって、
該雄型管継手部材を受け入れる筒状の周壁部、該周壁部の外周面から外方に突出した係止突起、及び該周壁部に半径方向で貫通するように設けられた施錠子保持孔を有する継手本体と、
該施錠子保持孔内に設定され、該周壁部の内周面から内側に突出して該周壁部に受け入れた雄型管継手部材を係止する施錠位置と、該施錠位置よりも外側の位置となり雄型管継手部材との係止を解除する施錠解除位置との間で変位可能とされた施錠子と、
該周壁部の該外周面を覆うように配置され、該施錠子と半径方向外側から係合して該施錠子を該施錠位置に保持する施錠子保持位置と、該施錠子保持位置から該周壁部の軸線の方向で変位して該施錠子が該施錠解除位置となるのを許容する施錠子解放位置との間で変位可能とされたスリーブであって、該施錠子保持位置から該施錠子解放位置に変位するときに該係止突起を受け入れる軸線方向部、及び該施錠子保持位置にあるときに当該スリーブが該周壁部の周方向の一方の側に回動するのを許容するように該係止突起を受け入れる周方向部、を含む係止突起受入部を有するスリーブと、
該スリーブを、該施錠子解放位置から該施錠子保持位置に向かって該軸線の方向に付勢する付勢部材と、を備え、
該係止突起受入部の該軸線方向部が、該スリーブが該施錠子保持位置と該施錠子解放位置との間を変位するときに該係止突起に対して摺動可能とされた軸線方向面を有し、該周方向部が、該軸線方向面に連接して該周方向の該一方の側とは反対の他方の側に延び、該係止突起が当該周方向部に受け入れられたときに、該スリーブの該施錠子解放位置へ向かう該軸線の方向での変位を阻止する周方向面を有しており、該軸線方向面が該周方向面に向かう方向で該周方向の該他方の側に傾斜するようにされた、雌型管継手部材。
【請求項２】
該付勢部材が該周方向の該一方の側に向かって該周方向にも付勢するようにされた、請求項１に記載の雌型管継手部材。
【請求項３】
該スリーブの内周面と該周壁部の外周面との間に配置され、該スリーブと共に該軸線の方向で変位可能とされるとともに、該スリーブに対して該周方向で回転自在とされた施錠子係合リングをさらに備え、該スリーブは、該施錠子保持位置にあるときに、該施錠子係合リングを介して該施錠子を半径方向外側から係合するようにされている、請求項１又は２に記載の雌型管継手部材。
【請求項４】
該付勢部材が、該スリーブに固定された第１固定端部と該周壁部に固定された第２固定端部とを有するコイルスプリングからなり、
該コイルスプリングと該施錠子係合リングとが、該施錠子係合リングが該コイルスプリングの該第１固定端部に隣接して該コイルスプリングと該軸線の方向で整合した状態で、該周壁部の該外周面と該スリーブの該内周面との間に配置されている、請求項３に記載の雌型管継手部材。
【請求項５】
該係止突起が、球状体を該周壁部の外周面に部分的に埋め込んで形成されている、請求項１乃至４のいずれか一項に記載の雌型管継手部材。
【請求項６】
請求項１乃至５の何れか一項に記載の雌型管継手部材と、該雌型管継手部材に取外し可能に連結される雄型管継手部材と、を備える管継手。
【発明の詳細な説明】
【技術分野】
【０００１】
本発明は、対応する雄型管継手部材との連結が不意に解除されないようにするためのロック機構を有する雌型管継手部材、及び該雌型管継手部材とそれに対応する雄型管継手部材とからなる管継手に関する。
【背景技術】
【０００２】
従来から、対応する雄型管継手部材に取外し可能に連結されるようにされた雌型管継手部材において、流体通路を構成する筒状の継手本体と、この継手本体の周壁部を半径方向に貫通するように形成された施錠子保持孔内で雄型管継手部材の係止溝と係止する施錠位置と雄型管継手部材との係止が解除される施錠解除位置との間で半径方向に移動可能とされた施錠子と、継手本体の外周面を覆うように配置され、施錠子に半径方向外側から係合して施錠子を施錠位置に保持する施錠子保持位置と施錠子が施錠子解除位置に移動するのを許容する施錠子解放位置との間で軸線方向で変位可能とされたスリーブと、このスリーブを施錠子解放位置から施錠子保持位置に向かって付勢するスプリングとを備えるものがある。この雌型管継手部材は、スリーブが施錠子解放位置にある状態で、雄型管継手部材をその係止溝が施錠子と半径方向で整合する位置まで継手本体内に挿入すると、スリーブがスプリングの付勢力によって施錠子保持位置に向かって動かされ、それによって施錠子が施錠位置に移動して雄型管継手部材の係止溝と係合して、雄型管継手部材が雌型管継手部材と連結された状態となるようになっている。また、雄型管継手部材が連結されている状態において、スリーブをスプリングの付勢力に抗して施錠子保持位置から施錠子解放位置に変位させることで、雄型管継手部材との連結が解除されるようになっている。この種の管継手においては、スリーブを単に軸線方向で変位させるだけで連結が解除されるため、誤ってスリーブが操作されて不意に雌型管継手部材と雄型管継手部材との連結が解除されることが起こり得た。
【０００３】
このような不意の連結解除を防止するために、例えば特許文献１に示すように、スリーブの軸線方向での変位を制限するためのロック機構を備えた雌型管継手部材が開発されている。このロック機構を備える雌型管継手部材は、上述の雌型管継手部材の構造に加えて、継手本体の外周面にその外方に突出するように設けられた係止突起と、スリーブに形成された突起受入溝と、をさらに備えている。突起受入溝は、スリーブが軸線方向で施錠子保持位置と施錠子解放位置との間で変位するときに係止突起を受け入れるように軸線方向に延びる軸線方向部と、スリーブが施錠子保持位置にある状態で回動したときに係止突起を受け入れるように周方向に延びる周方向部とからなり、係止突起が周方向に延びる周方向部の面に係合することによりスリーブが施錠子保持位置から施錠子解放位置に向かって軸線方向で変位するのを防止するようになっている。すなわち、雄型管継手部材を連結した際に、施錠子保持位置にあるスリーブを周方向に回動させて係止突起が突起受入溝の周方向部に受け入れられた状態とすることで、スリーブに軸線方向の力が誤って加えられたとしても連結が解除されないようになっている。
【先行技術文献】
【特許文献】
【０００４】
【特許文献１】特開２０００−１９３１７２号公報
【発明の概要】
【発明が解決しようとする課題】
【０００５】
上述のようなロック機構を備えた雌型管継手部材において、対応する雄型管継手部材を連結位置にまで挿入すると、スリーブはスプリングの付勢力によって施錠子保持位置にまで軸線の方向で変位するようになっているが、その際、スリーブの突起受入溝が係止突起に対して軸線の方向で相対的に移動することになる。スリーブは周方向にも回転可能となっているため、係止突起が突起受入溝の軸線方向部の面に接触して係止突起と突起受入溝とが摺動する場合もある。係止突起と突起受入溝との間の摩擦抵抗がスプリングの付勢力に対して十分に小さいときにはスリーブは施錠子保持位置にまで自動的に変位するが、例えば係止突起や突起受入溝に埃や油などの異物が付着するなどして係止突起と突起受入溝とが固着したような場合には、抵抗が大きくなり、スプリングの付勢力ではスリーブが施錠子保持位置にまで変位せず、雄型管継手部材を適切に連結した状態にならない虞がある。より付勢力の強いスプリングを用いればそのような状態になる可能性を低減することは可能ではあるが、付勢力を大きくしようとするとスプリングが大型化し、その結果、管継手部材自体も大型化してしまうことになる。また、スリーブを施錠子保持位置から施錠子解除位置に変位させる際に必要な力が大きくなり、連結を解除する際の操作性を低下させてしまうことにもなる。
【０００６】
本発明は、このような点に鑑み、突起受入部を有するスリーブを係止突起に対して移動させるときの抵抗力を低減し、スリーブがより確実に施錠子保持位置にまで変位するようにした雌型管継手部材、及び該雌型管継手部材とこれに取外し可能に連結される雄型管継手部材とを備える管継手を提供することを目的とする。
【課題を解決するための手段】
【０００７】
すなわち本発明は、
対応する雄型管継手部材に取外し可能に連結される雌型管継手部材であって、
該雄型管継手部材を受け入れる筒状の周壁部、該周壁部の外周面から外方に突出した係止突起、及び該周壁部に半径方向で貫通するように設けられた施錠子保持孔を有する継手本体と、
該施錠子保持孔内に設定され、該周壁部の内周面から内側に突出して該周壁部に受け入れた雄型管継手部材を係止する施錠位置と、該施錠位置よりも外側の位置となり雄型管継手部材との係止を解除する施錠解除位置との間で変位可能とされた施錠子と、
該周壁部の該外周面を覆うように配置され、該施錠子と半径方向外側から係合して該施錠子を該施錠位置に保持する施錠子保持位置と、該施錠子保持位置から該周壁部の軸線の方向で変位して該施錠子が該施錠解除位置となるのを許容する施錠子解放位置との間で変位可能とされたスリーブであって、該施錠子保持位置から該施錠子解放位置に変位するときに該係止突起を受け入れる軸線方向部、及び該施錠子保持位置にあるときに当該スリーブが該周壁部の周方向の一方の側に回動するのを許容するように該係止突起を受け入れる周方向部、を含む係止突起受入部を有するスリーブと、
該スリーブを、該施錠子解放位置から該施錠子保持位置に向かって該軸線の方向に付勢する付勢部材と、を備え、
該係止突起受入部の該軸線方向部が、該スリーブが該施錠子保持位置と該施錠子解放位置との間を変位するときに該係止突起に対して摺動可能とされた軸線方向面を有し、該周方向部が、該軸線方向面に連接して該周方向の該一方の側とは反対の他方の側に延び、該係止突起が当該周方向部に受け入れられたときに、該スリーブの該施錠子解放位置へ向かう該軸線の方向での変位を阻止する周方向面を有しており、該軸線方向面が、該周方向面に向かう方向で該周方向の該他方の側に傾斜するようにされた、雌型管継手部材を提供する。
【０００８】
当該雌型管継手部材においては、スリーブに設けられている係止突起受入部の軸線方向面が傾斜していて、スリーブが施錠子解放位置から施錠子保持位置に向かって軸線の方向に変位すると軸線方向面が係止突起から離れていくようになっている。これにより、軸線方向面と係止突起とが埃や脂などで固着してしまったときにも、固着した部分を引き離すように力が加わるので、付勢部材の付勢力によるスリーブの施錠子保持位置への移動がより確実に行われるようにすることが可能となる。
【０００９】
好ましくは、該付勢部材が該周方向の該一方の側に向かって該周方向にも付勢するようにすることができる。
【００１０】
このような構成とすることで、対応する雄型管継手部材を連結した際に、スリーブが施錠子解放位置にまで軸線の方向で変位することを阻止するように、スリーブがスプリングの周方向への付勢力によって自動的に周方向に回動されて係止突起が係止突起受入部の周方向部に受け入れられた状態とすることが可能となる。また、スリーブが施錠子解放位置にあるときには係止突起受入部の軸線方向面が係止突起に周方向で押しつけられた状態となるが、上述のように軸線方向面は傾斜しているので、付勢部材の周方向への付勢力の一部がスリーブを施錠子保持位置に向けて軸線の方向で押圧する分力として作用する。これにより、従来のロック機構を備える管継手部材のように軸線方向面が軸線の方向と平行になっているものに比べて、それと同じ付勢部材を使用してもスリーブに対する軸線の方向への付勢力をより大きくすることができ、従って、より確実にスリーブを施錠子保持位置にまで変位させることが可能となる。
【００１１】
好ましくは、該スリーブの内周面と該周壁部の外周面との間に配置され、該スリーブと共に該軸線の方向で変位可能とされるとともに、該スリーブに対して該周方向で回転自在とされた施錠子係合リングをさらに備え、該スリーブは、該施錠子保持位置にあるときに、該施錠子係合リングを介して該施錠子を半径方向外側から係合するようにすることができる。
【００１２】
雄型管継手部材が連結された状態では、雄型管継手部材が施錠子によって係止された状態となっているため、雌型管継手部材に対して雄型管継手部材を軸線の方向の周りで回転させると施錠子が回転することになる。このとき、施錠子とスリーブとが直接接触していると、施錠子の回転がスリーブに伝わってスリーブが周方向に回動してしまい、施錠子解除位置に軸線の方向で移動可能な状態となってしまう可能性がある。しかし、上述のように施錠子係合リングを設けてスリーブが施錠子と直接的には接触しないようにすることで、雄型管継手部材の回転に伴ってスリーブが回転してしまうことを防止することが可能となる。
【００１３】
好ましくは、
該付勢部材が、該スリーブに固定された第１固定端部と該周壁部に固定された第２固定端部とを有するコイルスプリングからなり、
該コイルスプリングと該施錠子係合リングとが、該施錠子係合リングが該コイルスプリングの該第１固定端部に隣接して該コイルスプリングと該軸線の方向で整合した状態で、該周壁部の該外周面と該スリーブの該内周面との間に配置されているようにすることができる。
【００１４】
また、好ましくは、該係止突起が、球状体を該周壁部の外周面に部分的に埋め込んで形成されているようにすることができる。
【００１５】
本発明はまた、上記の何れかの雌型管継手部材と、該雌型管継手部材に取外し可能に連結される雄型管継手部材と、を備える管継手を提供する。
【００１６】
以下、本発明に係る雌型管継手部材、及び雌型管継手部材と雄型管継手部材とからなる管継手の実施形態を添付図面に基づき説明する。
【図面の簡単な説明】
【００１７】
【図１】本発明の一実施形態に係る管継手を示す図であって、雌型管継手部材と雄型管継手部材とが連結されていない非連結状態における管継手を示す図である。
【図２】図１の管継手の、雌型管継手部材と雄型管継手部材とが連結された連結状態における図である。
【図３】図１のIII―IIIに沿う面での雌型管継手部材の部分断面図である。
【図４】図１の部分断面図である。
【図５】図２の部分断面図である。
【発明を実施するための形態】
【００１８】
本発明の一実施形態に係る管継手１は、図１及び図２に示すように、雌型管継手部材２と、この雌型管継手部材２と取外し可能に連結する雄型管継手部材４とからなっている。
【００１９】
雌型管継手部材２は、図３に示すように、雄型管継手部材４を受け入れる周壁部１０を有する継手本体１２と、継手本体１２の周壁部１０の外周面１０ａを覆うように配置され、周壁部１０に対して周壁部１０の軸線Ｍの方向と周方向とに変位可能とされたスリーブ１６と、周壁部１０内に配置されたスライド弁構造体１８と、を備える。継手本体１２の周壁部１０は、雄型管継手部材４を受け入れる前端部２０から雄ネジが形成された後端部２２にまで軸線Ｍの方向で貫通する流体通路２４を構成している。また、半径方向で貫通するように形成された施錠子保持孔２６を有し、この施錠子保持孔２６内には施錠子２８が設定されている。施錠子２８は、施錠子保持孔２６内において、周壁部１０の内周面１０ｂから内側に突出し、周壁部１０内に受け入れられた雄型管継手部材４を係止する施錠位置（図５）と、施錠位置よりも外側の位置となり、雄型管継手部材４との係止を解除する施錠解除位置（図４）との間で変位可能となっている。スリーブ１６の内周面１６ａと周壁部１０の外周面１０ａとの間には、コイルスプリング３２と、コイルスプリング３２の前方位置において該コイルスプリング３２に隣接するようにしてコイルスプリング３２と軸線Ｍの方向で整合した状態で配置された施錠子係合リング３４とが収納されている。
【００２０】
コイルスプリング３２は、図４及び図５に示すように、半径方向外側に延びるように折り曲げられた前端部（第１固定端部）３２ａと、軸線Ｍの後方に延びるように折り曲げられた後端部（第２固定端部）３２ｂとを備え、前端部３２ａはスリーブ１６のスプリング固定穴４０に挿入されて固定され、後端部３２ｂは周壁部１０のスプリング固定穴４２に挿入されて固定されている。当該コイルスプリング３２は、その前端部３２ａと後端部３２ｂとの間で、軸線Ｍの方向で圧縮されるとともに周方向で捩られた状態で設定されており、スリーブ１６を継手本体１２に対して軸線Ｍの方向で前方に付勢するとともに、前方から見て時計回りとなる方向（矢印Ｒで示す方向）に周方向でも付勢するようになっている。
【００２１】
施錠子係合リング３４は、コイルスプリング３２の前端部３２ａとスリーブ１６の内周面肩部１６ｂとの間に配置されているため、スリーブ１６が軸線Ｍの方向へ移動すると、スリーブ１６とともに軸線Ｍの方向に移動する。一方で周方向ではスリーブ１６に対して回転自在となっているため、スリーブ１６が周方向で回動しても基本的には一緒に回動しない。
【００２２】
図３に示すように、継手本体１２の周壁部１０にはロックボール嵌合穴４６が形成されており、このロックボール嵌合穴４６に球状体のロックボール４８が埋め込まれて固定されている。ロックボール４８はその一部が周壁部１０の外周面１０ａから外方に突出しており、この突出した部分よって係止突起５０を形成している。スリーブ１６には、この係止突起５０を受け入れる係止突起受入部５２が形成されており、係止突起５０はこの係止突起受入部５２内に受け入れられるようになっている。係止突起受入部５２は、スリーブ１６がコイルスプリング３２の軸線Ｍの方向での付勢力に抗して後方に移動されたとき（図１）に係止突起５０を受け入れる軸線方向部５２ａと、スリーブ１６がコイルスプリング３２の周方向での付勢力により矢印Ｒの側に回動されたとき（図２）に係止突起５０を受け入れる周方向部５２ｂとを有する。軸線方向部５２ａは、スリーブ１６が図１に示す位置から図２に示す位置に変位するときに係止突起５０に対して摺動可能とされた軸線方向面５２ｃを有している。また、周方向部５２ｂは、軸線方向面５２ｃに連接して周方向で矢印Ｒの側とは反対の側に向かって延びる周方向面５２ｄを有している。
【００２３】
スライド弁構造体１８は、周壁部１０の内周面１０ｂに固定保持された筒状の基部５４と、この基部５４の内周面５４ａに対して軸線Ｍの方向で摺動可能に配置されたスライド弁体５６と、スライド弁体５６を基部５４に対して軸線Ｍの方向の前方側に付勢するコイルスプリング５８と、スライド弁体５６の前端部５６ａに固定保持された施錠子保持カラー６０とを備えている。基部５４の外周面５４ｂにはＯリング６２が配置されており、このＯリング６２によって基部５４の外周面５４ｂと周壁部１０の内周面１０ｂとの間が密封係合されている。図１、図３、及び図４に示す非連結状態においては、スライド弁体５６はコイルスプリング５８の付勢力により前方に変位し、スライド弁体５６の後端部５６ｂに取付けられたＯリング６４が基部５４の後端部に形成された傾斜シール面５４ｃに密封係合した状態となる。これにより、継手本体１２の前端部２０と後端部２２との間において流体通路２４が閉止された状態となる。また、図２及び図５に示す連結状態においては、スライド弁体５６の前端部５６ａに取付けられた面シールリング６６に雄型管継手部材４の前端面４ａが当接してスライド弁体５６が後方に押され、スライド弁体５６の後端部５６ｂのＯリング６４と基部５４の傾斜シール面５４ｃとの間の密封係合が解除された状態となる。従って、流体通路２４は前端部２０と後端部２２との間においてスライド弁体５６の連通穴５６ｃを介して連通した状態となる。さらに、スライド弁体５６の外周面５６ｄ上には断面Ｘ形状の摺動シールリング６８が配置されている。この摺動シールリング６８は、スライド弁体５６が前後に移動したときに、スライド弁体５６の外周面５６ｄと基部５４の内周面５４ａとの間を摺動しながら密封係合して、流体通路２４内の流体が当該管継手１の外部に漏れないようにしている。
【００２４】
図１、図３、及び図４に示す非連結状態においては、スリーブ１６は、施錠子係合リング３４と共に後方に変位しており、施錠子２８が外方に移動して施錠解除位置となるのを許容する施錠子解放位置となっている。このとき、スライド弁体５６はコイルスプリング５８の付勢力により前方に変位され、これにより施錠子保持カラー６０が施錠子２８を外側に移動させて施錠子２８を半径方向内側から支持して施錠解除位置に保持している。施錠解除位置にある施錠子２８はその一部が周壁部１０の外周面１０ａから外方に突出しており、この施錠子２８の外方に突出した部分に施錠子係合リング３４の前方係合面３４ａが当接して、施錠子係合リング３４及びスリーブ１６をそれ以上前方に変位させないように保持した状態となっている。このとき、係止突起５０は、スリーブ１６の係止突起受入部５２の軸線方向部５２ａの中に受け入れられている（図１）。上述のようにコイルスプリング３２はスリーブ１６を周方向で矢印Ｒの側にも付勢しているため、軸線方向部５２ａの傾斜した軸線方向面５２ｃは係止突起５０に押しつけられた状態となっている。
【００２５】
非連結状態にある雌型管継手部材２の流体通路２４内に雄型管継手部材４を周壁部１０の前端部２０から挿入していくと、雄型管継手部材４の前端面４ａがスライド弁体５６の前端の面シールリング６６に当接してスライド弁体５６と密封係合した状態で、スライド弁体５６を徐々に後方に押し込んでいく。施錠子保持カラー６０もスライド弁体５６と共に後方に移動していき、やがて施錠子２８を支持しなくなる位置にまで移動する。さらに雄型管継手部材４を挿入して雄型管継手部材４の係止溝４ｂが施錠子２８の内側に位置するようになると、施錠子２８は施錠子係合リング３４に押されて内側に移動し、施錠子２８の一部が周壁部１０の内周面１０ｂから内方に突出して雄型管継手部材４の係止溝４ｂ内に入り雄型管継手部材４を係止した状態となる。このとき、施錠子２８は周壁部１０の外周面１０ａからは突出していない状態となるので、施錠子係合リング３４と施錠子２８との間の軸線Ｍの方向での係合が解除される。スリーブ１６は、コイルスプリング３２の軸線Ｍの方向への付勢力によって施錠子係合リング３４とともに前方に移動し、図５に示すように施錠子係合リング３４を介して施錠子２８と半径方向外側から間接的に係合して施錠子２８を施錠位置に保持する施錠子保持位置となる。この連結状態においては、施錠子２８は直接的には施錠子係合リング３４の内周係合面３４ｂによって外側から支持されている。スリーブ１６がこの施錠子保持位置にあるときには、施錠子２８は雄型管継手部材４の係止溝４ｂに嵌まった状態から外方に移動することができないので、雄型管継手部材４は雌型管継手部材２から取り外すことができない状態となる。なお、周壁部１０における施錠子保持孔２６の前方側にはストップリング７０が取付けられており、施錠子係合リング３４とスリーブ１６との前方への移動は、施錠子係合リング３４がこのストップリング７０に当接する位置で止められる。
【００２６】
上述のように、コイルスプリング３２はスリーブ１６を周方向にも付勢しているので、当該管継手１が図１に示す非連結状態にあるときには、軸線方向部５２ａの傾斜した軸線方向面５２ｃが係止突起５０に押しつけられた状態となっている。従って、雌型管継手部材２に雄型管継手部材４が挿入されて、スリーブ１６がコイルスプリング３２の付勢力によって施錠子解放位置から施錠子保持位置に向かって前方に移動する際には、スリーブ１６は軸線方向面５２ｃを係止突起５０に対して摺動させながら移動することになる。そのため、スリーブ１６が施錠子保持位置にまで移動するためには、コイルスプリング３２の特に軸線Ｍの方向での付勢力が軸線方向面５２ｃと係止突起５０との間の摺動摩擦抵抗に打ち勝つのに十分な大きさである必要がある。当該雌型管継手部材２における軸線方向面５２ｃは、上述のように、周方向面５２ｄに向かうに方向でコイルスプリング３２の付勢方向（矢印Ｒ）に対して反対の側に傾斜するようになっており、スリーブ１６が施錠子解放位置から施錠子保持位置に向かって軸線Ｍの方向に変位すると軸線方向面５２ｃが係止突起５０から離れていくようになっているので、スリーブ１６が軸線Ｍの方向で変位する際の係止突起５０と軸線方向面５２ｃとの間の摺動摩擦抵抗が小さくなる。また、傾斜した軸線方向面５２ｃによって係止突起５０と係合するようになっているので、コイルスプリング３２の周方向への付勢力の一部がスリーブ１６を施錠子保持位置に向けて軸線Ｍの方向で前方に押圧する分力として作用する。そのため、軸線方向面が軸線の方向と平行になっている従来のものに比べて、同じ大きさのコイルスプリング３２を使用してもスリーブ１６に対する軸線Ｍの方向への付勢力をより大きくすることができ、より確実にスリーブ１６を施錠子保持位置にまで変位させることが可能となる。
【００２７】
スリーブ１６は施錠子保持位置にまで軸線Ｍの方向で移動したときには、図２に示すようにコイルスプリング３２の周方向への付勢力により周方向に自動的に回動し、係止突起５０を係止突起受入部５２の周方向部５２ｂに受け入れた状態となる。この状態では、スリーブ１６を軸線Ｍの方向で後方に向かって移動させようとしても、係止突起受入部５２の周方向面５２ｄが係止突起５０に当接するため、スリーブ１６を施錠子解放位置にまでは変位させることができなくなる。従って、雄型管継手部材４との連結を解除するためには、まずスリーブ１６をコイルスプリング３２の周方向での付勢方向（矢印Ｒ）とは反対側に周方向に回動させてから、軸線Ｍの方向で後方に変位させる必要がある。このような構成とすることで、スリーブ１６に軸線Ｍの方向の力が誤って加えられたとしても雌型管継手部材２と雄型管継手部材４との連結が解除されないようになっている。なお、連結状態において雄型管継手部材４を雌型管継手部材２に対して軸線Ｍの方向の周りで回転させるとそれに伴って施錠子２８も回転することになるが、上述のようにスリーブ１６は該スリーブ１６に対して回転自在となっている施錠子保持カラー６０を介して間接的に施錠子２８と係合するようになっているので、施錠子２８の回転力がスリーブ１６には直接的には伝わらないようになっている。すなわち、雄型管継手部材４の回転により、スリーブ１６が回動して係止突起５０が係止突起受入部５２の周方向部５２ｂから出てスリーブ１６が軸線Ｍの方向で施錠子解除位置にまで移動できる状態となることを防止するようになっている。
【００２８】
なお、上記実施形態においては、コイルスプリング３２がスリーブ１６を周方向にも付勢するようになっているが、必ずしもそのようにする必要はなく、スリーブ１６に対して軸線Ｍの方向のみの付勢力を加えるようにしてもよい。その場合には、係止突起受入部５２の軸線方向面５２ｃは係止突起５０に押しつけられないので摺動摩擦抵抗は小さくなる。また、スリーブ１６に設けられている係止突起受入部５２の軸線方向面５２ｃが傾斜していて、スリーブ１６が施錠子解放位置から施錠子保持位置に向かって変位すると軸線方向面５２ｃが係止突起５０から離れていくようになる。そのため、軸線方向面５２ｃと係止突起５０とが埃や脂などで固着してしまったとしても、固着した部分を引き離すように力が加わるのでその固着が取れやすくなり、コイルスプリングの付勢力によるスリーブ１６の施錠子保持位置までの移動がより確実に行われるようになる。
【符号の説明】
【００２９】
管継手１；雌型管継手部材２；雄型管継手部材４；前端面４ａ；係止溝４ｂ；周壁部１０；外周面１０ａ；内周面１０ｂ；継手本体１２；スリーブ１６；内周面１６ａ；内周面肩部１６ｂ；スライド弁構造体１８；前端部２０；後端部２２；流体通路２４；施錠子保持孔２６；施錠子２８；コイルスプリング３２；前端部（第１固定端部）３２ａ；後端部（第２固定端部）３２ｂ；施錠子係合リング３４；前方係合面３４ａ；内周係合面３４ｂ；スプリング固定穴４０；スプリング固定穴４２；ロックボール嵌合穴４６；ロックボール４８；係止突起５０；係止突起受入部５２；軸線方向部５２ａ；周方向部５２ｂ；軸線方向面５２ｃ；周方向面５２ｄ；基部５４；内周面５４ａ；外周面５４ｂ；傾斜シール面５４ｃ；スライド弁体５６；前端部５６ａ；後端部５６ｂ；連通穴５６ｃ；外周面５６ｄ；コイルスプリング５８；施錠子保持カラー６０；Ｏリング６２；Ｏリング６４；面シールリング６６；摺動シールリング６８；ストップリング７０；軸線Ｍ；矢印Ｒ
【図１】
2016080134.tif 000003
【図２】
2016080134.tif 000004
【図３】
2016080134.tif 000005
【図４】
2016080134.tif 000006
【図５】
2016080134.tif 000007